(57)【要約】【課題】画質を向上させ、さらに、被ばく低減に寄与することが可能なＸ線ＣＴ装置を提供する。【解決手段】実施形態のＸ線ＣＴ装置は、陰極及びターゲットを含むＸ線管球と、被検体の体軸方向に複数列並べられたＸ線検出素子を含む検出器とが被検体の体軸を中心に対向配置され、Ｘ線管球及び検出器を被検体の体軸回りに回転させ、陰極から電子をターゲットに衝突させることにより、ターゲットから発生し、被検体の体軸方向に広がるコーン角を有するＸ線を、所定列数のＸ線検出素子で検出する。変更手段は、指定されたコーン角に対応する検出器から見た実効焦点サイズが変化されるように、ターゲットの角度を変更させる。【選択図】図１
2014064828.tif 000002
【特許請求の範囲】
【請求項１】
陰極及びターゲットを含むＸ線管球と、被検体の体軸方向に複数列並べられたＸ線検出素子を含む検出器とが被検体の体軸を挟んで対向配置され、Ｘ線管球及び検出器を被検体の体軸回りに回転させ、陰極から電子をターゲットに衝突させることにより、ターゲットから発生し、被検体の体軸方向に広がるコーン角を有するＸ線を、所定列数のＸ線検出素子で検出するようにしたＸ線ＣＴ装置において、
指定された列数に対応する検出器から見た実効焦点サイズが変化されるように、ターゲットの角度を変更させる変更手段を有すること、
を特徴とするＸ線ＣＴ装置。
【請求項２】
前記変更手段は、前記Ｘ線管球の全体を回動させることにより、前記ターゲットの角度を変更させること、
を特徴とする請求項１に記載のＸ線ＣＴ装置。
【請求項３】
前記変更手段は、前記陰極に対してターゲットを相対的に回動させることにより、前記ターゲットの角度を変更させること、
を特徴とする請求項１に記載のＸ線ＣＴ装置。
【請求項４】
前記変更手段は、前記指定された列数に代えて、指定されたコーン角に対応する前記実効焦点サイズが変化されるように、前記ターゲットの角度を変更させること、
を特徴とする請求項１から請求項３のいずれかに記載のＸ線ＣＴ装置。
【請求項５】
前記Ｘ線管球は、前記ターゲットを中心にして回動可能なように設けられ、
前記変更手段は、前記体軸回りに回転させるときの遠心方向から前記Ｘ線管球を支持すると共に、前記Ｘ線管球の回動角度を調整する調整ねじを有すること、
を特徴とする請求項１または請求項２に記載のＸ線ＣＴ装置。
【請求項６】
前記変更手段は、前記調整ねじに螺合するナットを有し、前記調整ねじを前記ナットに対して相対回転させて、前記Ｘ線管球に対して進退させることにより、前記Ｘ線管球の回動角度を調整するように構成されていること、
を特徴とする請求項５に記載のＸ線ＣＴ装置。
【発明の詳細な説明】
【技術分野】
【０００１】
本発明の実施形態は、Ｘ線ＣＴ装置に関する。
【背景技術】
【０００２】
Ｘ線ＣＴ装置は、Ｘ線管球及び検出器を有する。Ｘ線管球と検出器とは、対向配置され、スキャン時に被検体の体軸回りに回転される（例えば、特許文献１）。
【０００３】
Ｘ線管球は陰極及び陽極を有している。陽極は、陰極からの電子が衝突するターゲット（焦点）を有している。ターゲットからＸ線が発生する。発生したＸ線は、被検体の体軸方向に広がるコーン角を有している。
【０００４】
コーン角に起因して、コーン角内において陰極側が陽極側よりもＸ線強度が大きくなる現象であるヒール効果が生じる。検出器側からターゲット（焦点）を見たときの大きさ（実効焦点サイズ）が大きくなると、ヒール効果が問題となる。
【０００５】
検出器は、Ｘ線検出素子が被検体の体軸方向に複数列並べられている。コーン角を有するＸ線が照射されたとき、Ｘ線を検出するＸ線検出素子の列数を「収集列数」という。検出された結果はデータ収集部で収集される。
【０００６】
例えば、収集列数が多い３２０列ＡＤＣＴ（ａｒｅａ  ｄｅｔｅｃｔｏｒ  ＣＴ）は、頭部全体を短時間で撮影することが可能となる。
【０００７】
収集列数に応じて、コーン角の大きさが決められ、コーン角の大きさに応じて、被検体の体軸と直交し焦点を通る直線とターゲットの面とがなす角度（ターゲット角）が決められる。
【０００８】
３２０列ＡＤＣＴにおいては、コーン角起因のヒール効果を低減するため、また、コーン角全般に渡って十分なＸ線強度を照射するために、例えば１１°のターゲット角を有している。３２０列ＡＤＣＴでは、これらのコーン角、実効焦点サイズ及びターゲット角は固定される。
【先行技術文献】
【特許文献】
【０００９】
【特許文献１】特開２００５−１１８３７３号公報
【発明の概要】
【発明が解決しようとする課題】
【００１０】
しかし、３２０列ＡＤＣＴでは、例えば３２０列収集に常時用いられるわけではなく、例えば６４列収集に用いられるときがある。６４列収集では、小さな実効焦点サイズで十分である。
【００１１】
３２０列収集のときの実効焦点サイズを小さくして、６４列収集に用いると、ターゲットの熱量が許容値を超えてしまうという問題点があった。
【００１２】
また、実効焦点サイズが大きいまま、上部スリット（コリメータ）の幅を狭めことにより、収集列数を変更することができるが、そうすると、画質が低下し、さらに、上部スリットによるＸ線の影（半影）が大きくなって、被ばく低減に支障が生じるという問題点があった。
【００１３】
この実施形態は、上記の問題を解決するものであり、画質を向上させ、さらに、被ばく低減に寄与することが可能なＸ線ＣＴ装置を提供することを目的とする。
【課題を解決するための手段】
【００１４】
上記課題を解決するために、実施形態のＸ線ＣＴ装置は、陰極及びターゲットを含むＸ線管球と、被検体の体軸方向に複数列並べられたＸ線検出素子を含む検出器とが被検体の体軸を中心に対向配置され、Ｘ線管球及び検出器を被検体の体軸回りに回転させ、陰極から電子をターゲットに衝突させることにより、ターゲットから発生し、被検体の体軸方向に広がるコーン角を有するＸ線を、所定列数のＸ線検出素子で検出する。変更手段は、指定されたコーン角に対応する検出器から見た実効焦点サイズが変化されるように、ターゲットの角度を変更させる。
【図面の簡単な説明】
【００１５】
【図１】一実施形態に係るＸ線管球及び検出器の模式図。
【図２】Ｘ線ＣＴ装置の構成ブロック図。
【図３】６４列収集のときのＸ線管球の図。
【図４】収集列数とＸ線管球の回動角度との対応関係を示す図。
【図５】Ｘ線管球の支持構造を示す図。
【図６】３２０列収集のときのＸ線管球の模式図。
【図７】６４列収集のときのＸ線管球の模式図。
【図８】ボルトを回転させるときの一例を示す図。
【図９】スキャン計画から画像表示までの一連の動作を示すフローチャート。
【図１０】変形例に係る変更手段の図。
【図１１】収集列数とターゲット角との対応関係を示す図。
【発明を実施するための形態】
【００１６】
この実施形態に係るＸ線ＣＴ装置の各図を参照して説明する。ここでは、Ｘ線ＣＴ装置の一例として、３２０列ＡＤＣＴを示す。なお、３２０列ＡＤＣＴを単に「ＡＤＣＴ」という場合がある。
【００１７】
図１はＸ線管球及び検出器の模式図、図２はＸ線ＣＴ装置の構成ブロック図である。
【００１８】
図１及び図２に示すように、ＡＤＣＴは、システム制御部１１、架台・寝台制御部１３、変更手段１４、Ｘ線管球２１、検出器２３、回転部２５、及び、データ収集部２７を有している。
【００１９】
システム制御部１１は、架台・寝台制御部１３、回転部２５、及びデータ収集部２７を含むＸ線ＣＴ装置内の機器を統括的に制御し、スキャン制御部１１１を有している。スキャン制御部１１１は、変更手段１４を制御する。
【００２０】
Ｘ線管球２１と検出器２３とは、被検体Ｐの体軸を挟んで対向するように回転部２５に配置され、スキャン時に被検体Ｐの体軸回りに回転されるように構成されている。
【００２１】
（Ｘ線管球）
図１に示すように、Ｘ線管球２１は、陰極２１１及び陽極２１２を有している。陽極２１２は、陰極２１１からの電子が衝突するターゲット（焦点）２１３を有している。ターゲット２１３からＸ線が発生する。発生したＸ線は、被検体Ｐの体軸方向に広がるコーン角を有している。図１にコーン角、ターゲット角を“α”、“θ”で示す。
【００２２】
（検出器）
検出器２３は、被検体Ｐを透過したＸ線を検出するＸ線検出素子が被検体Ｐの体軸方向に３２０列並べられている。Ｘ線を検出するＸ線検出素子の列数（収集列数）及びコーン角αは、スキャン計画時に、操作部１２による入力を受けて、システム制御部１１（図２参照）の内部メモリに記憶される（収集列数、コーン角αの指定）。
【００２３】
（変更手段）
変更手段１４は、指定された収集列数（コーン角α）に対応する実効焦点サイズを変化させるように、ターゲット角θを変更可能に構成されている。
【００２４】
この実施形態では、３２０列収集から６４列収集に移るときに、被検体の体軸方向に対するＸ線管球２１の回動角度を変更することで、ターゲット角θを変更する構成について説明する。３２０列収集のときのＸ線管球２１を図１に示す。
【００２５】
図３は６４列収集のときのＸ線管球の図である。図３では、時計回りに所定角度だけ回動したＸ線管球２１を示す。
【００２６】
図４は、図３に示すようにＸ線管球２１を回動させたときのＸ線管球２１の回動角度とＸ収集列数との対応関係を示す図である。図４では、横軸に収集列数を表し、縦軸にＸ線管球２１の回動角度を表す。図４では、収集列数、及び、Ｘ線管球２１の回動角度を“Ｎ”、“β”で示す。ここで、３２０列収集のときのＸ線管球２１の回動角度β、コーン角、及び、ターゲット角θを、０°、α０、１１°とする。また、６４列収集のときのＸ線管球２１の回動角度β、及び、ターゲット角θを、４°（＝１１°−７°）、７°とする。
【００２７】
収集列数Ｎに対するＸ線管球２１の回動角度βの対応関係は予めシステム制御部１１の内部メモリに記憶されている。
【００２８】
次に、Ｘ線管球２１の支持構造について図５から図７を参照して説明する。図５はＸ線管球２１の支持構造の図、図６は３２０列収集のときのＸ線管球の図、図７は６４列収集のときのＸ線管球の図である。図から図７に、陰極２１１からの電子が衝突する焦点の位置を“Ｏｔ”で示す。
【００２９】
図５から図７に示すように、変更手段１４は、Ｏｔを中心にして、Ｘ線管球２１の全体を回動させることにより、ターゲット角θを変更させるように構成されている。回転部２５（図２参照）は軸部材２５１を有している。軸部材２５１はＯｔの位置に配置されている。Ｘ線管球２１の本体容器が軸部材２５１により回動可能に支持されている。
【００３０】
変更手段１４は、ナット１４１及びボルト１４２を有している。ボルト１４２が、Ｘ線管球２１の回動角度βを調整する「調整ねじ」に相当している。
【００３１】
図５から図７に示すように、ナット１４１は回転部２５に装着されている。ボルト１４２は、ナット１４１に螺合されている。ボルト１４２は、体軸回りに回転されるときの遠心方向からＸ線管球２１の本体容器を支持している。なお、Ｘ線管球２１の本体容器を支持する構成の一例として、２本のボルト１４２で示したが、Ｘ線容器２１の重量、及び、回転時にＸ線容器２１にかかる加速度を考えると、３本以上のボルト１４２により本体容器を支持する必要がある。
【００３２】
ナット１４１の外周は歯部を有し、歯部に出力ギア１４３が噛み合っている。モータ１４４により、出力ギア１４３が回転すると、ナット１４１に対してボルト１４２が相対回転し、前進（図６に示す“Ｆ”への移動）または後退（図６に示す“Ｂ”への移動）に移動するように構成されている。なお、ボルト１４２をモータ１４４の動力により相対回転するように構成したが、手動により相対回転するように構成してもよい。
【００３３】
システム制御部１１の内部メモリには、モータ１４４の回転量とボルト１４２の前後方向の移動量との関係が予め記憶されている。また、ボルト１４２の前後方向の現在位置が記憶されている。
【００３４】
システム制御部１１は、収集列数を受けて、Ｘ線管球２１の回動角度βを求め、回転角度β及びボルト１４２の現在位置に基づいて、ボルト１４２の移動量を求め、モータ１４４の回転量を求める。変更手段１４は、１４４の回転量を受けて、モータ１４４を回転させる。それにより、ボルト１４２を所定の位置に移動させる。
【００３５】
次に、Ｘ線管球２１の回動角度βとボルト１４２の移動量との関係について、図６、図７、図８を参照して説明する。
【００３６】
図６において、左側のボルト１４２を後退すると共に、右側のボルト１４２を前進することで、Ｘ線管球２１が時計方向に回動する。一方、左側のボルト１４２を前進すると共に、右側のボルト１４２を後退することで、Ｘ線管球２１が時計方向に回動する。
【００３７】
図８は、Ｘ線管球２１を４°回動させるように、ボルト１４２を回転させるときの一例を示す図である。図８に、体軸を“Ｚ”で表し、位置Ｏｔを通り体軸Ｚに平行な直線を“Ｌ”で表す。また、ボルト１４２がＸ線管球２１の本体容器を支持するときの支持方向の線を“Ｐ”、“Ｑ”で表す。さらに、位置Ｏｔから線Ｐ、Ｑまでの距離を“ａ”、“ｂ”で表す。さらに、ボルト１４２の前進方向及び後退方向を“Ｆ”、“Ｂ”で表す。
【００３８】
Ｘ線管球２１を４°回動させると、直線Ｌも４°回動する。図８に、直線Ｌを４°回動させたときの線Ｐ、Ｑ上での直線Ｌの変位を、“ｃ”、“ｄ”で表す。
変位ｃ、ｄは、次の式で表される。
ｃ＝ａ＊ｔａｎ４°          （１）
ｄ＝ｂ＊ｔａｎ４°          （２）
【００３９】
Ｘ線管球２１の本体容器は、直線Ｌと一体的に回動されるため、変位ｃ、ｄは、本体容器の変位に相当する。本体容器の変位に対応させて、ボルト１４２の前後方向の位置を調整する必要がある。
【００４０】
すなわち、変更手段１４は、モータ１４４によりボルト１４２を逆方向に所定量回転させて、Ｂ方向に変位ｃと同じ量だけ後退させる。一方で、変位ｄに対応させて、ボルト１４２を正方向に所定量回転させて、Ｆ方向に変位ｄと同じ量だけ前進させる。それにより、Ｘ線管球２１が４°回動される。
【００４１】
変更手段１４は、指定された収集列数Ｎに基づいて、Ｘ線管球２１を図１において時計方向に所定の回動角度βだけ回動させる。
【００４２】
３２０列収集のときのＸ線管球２１の回動角度βを０°とする。変更手段１４は、例えば、指定された６４列収集に基づいて、Ｘ線管球２１を４°回動させる。それにより、ターゲット角θが１１°から７°に変更される。変更手段１４によりターゲット角θを７°に変更させることで、狭いコーン角αに対応する実効焦点サイズを用いて、６４列収集をすることができる。それにより、画質を向上させ、さらに、被ばく低減に寄与することが可能となる。
【００４３】
また、２つのボルト１４２がＸ線管球２１を遠心方向から支持しているため、回転部２５が回転されるとき、Ｘ線管球２１に大きな加速度が作用しても、Ｘ線管球２１を十分に支えることが可能となる。
【００４４】
（基本構成）
次に、Ｘ線ＣＴ装置の基本的な全体構成について図２を参照して簡単に説明する。
【００４５】
Ｘ線ＣＴ装置１０は、システム制御部１１、操作部１２、架台・寝台制御部１３、変更手段１４、寝台移動部１５、Ｘ線制御装置１７、高電圧発生装置１９、Ｘ線源２１、検出器２３、回転部２５、データ収集部２７、収集データ記憶装置２９、画像再構成処理部３１、表示部３３を有している。このＸ線ＣＴ装置は、Ｘ線源２１を被検体Ｐの回りに回転させながらＸ線ビームを曝射させるものである。
【００４６】
システム制御部１１は、Ｘ線ビームの検出のタイミングを示す検出制御信号をデータ収集部２７に対して出力する。システム制御部１１は、データ収集のためのデータ収集制御信号をデータ収集部２７に対して出力する。
【００４７】
操作部１２は、マウス、キーボード等であり、各種の情報を入力する。システム制御部１１は、中央処理装置（ＣＰＵ）等から構成され、操作部１２から入力されたスライス厚、回転速度、寝台移動量等を架台・寝台制御信号として架台・寝台制御部１３に対して出力する。システム制御部１１は、Ｘ線ビーム発生を制御するＸ線ビーム発生制御信号をＸ線制御装置１７に対して出力する。
【００４８】
架台・寝台制御部１３は、システム制御部１１により出力された架台、寝台制御信号に基づき回転部２５を回転させると共に、寝台移動信号を寝台移動部１５に対して出力する。
【００４９】
Ｘ線制御装置１７は、システム制御部１１により出力されたＸ線ビーム発生制御信号に基づき、高電圧発生装置１９による高電圧発生のタイミングを制御する。高電圧発生装置１９は、Ｘ線ビームを曝射させるための高電圧をＸ線制御装置１７からの制御信号に従ってＸ線源２１に供給する。
【００５０】
Ｘ線源２１は、高電圧発生装置１９から供給された高電圧によってスライス方向に厚みを持った扇状のＸ線ビームを被検体に向けて多方向から曝射する。検出器２３は、Ｘ線源２１から曝射され、被検体を透過したＸ線ビームを検出する。
【００５１】
検出器２３は、多チャンネルの検出素子を有し且つスライス方向に複数配列された２次元検出器からなる。各列については、例えば、１，０００チャンネル程度の検出素子がＸ線源２１の焦点を中心として円弧状に配置される（図１及び図２では直線状に配置された検出素子を示す）。
【００５２】
回転部２５は、Ｘ線源２１と検出器２３とを保持する。回転部２５は、図示しない架台回転機構により、Ｘ線源２１と検出器２３との中間点を通る回転軸を中心にして回転される。なお、Ｘ線源２１と検出器２３とが被検体の周囲を１回転しながら、被検体の複数スライス（複数断面）の投影データを収集することを１回のスキャン動作と称する。
【００５３】
データ収集部２７は、システム制御部１１により出力されたデータ収集制御信号に基づき被検体の複数スライスの投影データを同時に収集して出力する。収集データ記憶装置２９は、データ収集部２７によって収集された被検体の複数スライスの投影データを記憶する。
【００５４】
画像再構成処理部３１は、収集データ記憶装置２９に記憶された複数スライスの投影データに基づき被検体の複数の断層画像を同時に再構成する。表示部３３は、画像再構成処理部３１で再構成された被検体の複数の断層画像を同時にモニタ上に表示する。
【００５５】
また、システム制御部１１は、スキャン制御部１１１を有している。スキャン制御部１１１は、リアルプレップススキャンでは低線量のＸ線曝射を行い、本スキャンでは比較的多線量のＸ線曝射を行う。
【００５６】
以上に、一実施形態に係るＸ線ＣＴ装置の全体構成を説明した。
【００５７】
（動作）
次に、Ｘ線ＣＴ装置の動作について図９を参照して説明する。図９は、スキャン計画から画像表示までの一連の動作を示すフローチャートである。
【００５８】
先ず、スキャン計画にて収集列数を取得する（Ｓ１０１）。操作部１２による操作を受けて、システム制御部１１が内部メモリに収集列数を記憶させる。
【００５９】
次に、変更手段１４が、収集列数に応じてＸ線管球２１の回動角度βを変更する（Ｓ１０２）。
【００６０】
次に、スキャンを実行する（Ｓ１０３）。Ｘ線管球２１から所定のコーン角αを有するＸ線ビームが被検体Ｐに照射される。コーン角αが収集列数に対応している。上部スリット（図示省略）を通過し、被検体Ｐを透過したＸ線を、収集列数のＸ線検出素子がＸ線を検出する。コーン角αが収集列数に対応しているので、上部スリットによるＸ線の影である半影が少ない。また、収集列数に対応する必要最小限のコーン角αになっているので、被ばくの低減に寄与することができる。
【００６１】
データ収集部２７は、検出した結果をＡ／Ｄ変換し、ディジタルデータとして収集する（Ｓ１０４）。収集されたデータ（投影データ）は、収集データ記憶装置２９に記憶される。
【００６２】
画像再構成処理部３１は、投影データに基づき、被検体Ｐの複数の断層画像を同時に再構成する（Ｓ１０５）。
【００６３】
表示部３３は、再構成された被検体Ｐの複数の断層画像をモニタ上に表示する（Ｓ１０６）。小さな実効焦点サイズで撮影したので、画像の低下を防止することができる。また、半影が少ないので、低被ばくを実現することができる。
【００６４】
［変形例］
次に、Ｘ線ＣＴ装置の変形例について図１０を参照して説明する。図１０は変形例に係る変更手段１４の図である。
【００６５】
なお、変形例において、前記実施形態と同じ構成については同一番号を付してその説明を省略し、異なる構成について主に説明する。
【００６６】
前記実施形態では、変更手段１４がＸ線管球２１の全体を回動させることにより、ターゲット角θを変更させる構成であるが、変形例では、変更手段１４が陰極２１１に対してターゲット２１３を相対的に回動させることにより、ターゲット角θを変更させる構成である。
【００６７】
ターゲット２１３を支持すればよく、重量の大きなＸ線管球２１の全体を支持する前記実施形態に比較して、ターゲット２１３の重量が小さくので、回転部２５の回転時にターゲット２１３が受ける加速度が実施形態に比較して小さく、ターゲット２１３を支持する支持構造の強度が低くて済む。なお、陰極２１１及びターゲット２１３を一体的に回動させてもよい。この場合も、Ｘ線管球２１の全体の重量と比較すれば小さく、支持構造の強度が低くて済む。
【００６８】
なお、前記実施形態では、収集列数Ｎに対するＸ線管球２１の回動角度βの対応関係（図４参照）に基づいて、変更手段１４がＸ線管球２１を回動させるように構成を示したが、これに限らない。例えば、変更手段１４が収集列数とターゲット角θとの対応関係に基づいて、Ｘ線管球２１を回動させるように構成してもよい。
【００６９】
図１１は収集列数とターゲット角との対応関係を示す図である。図１１では、横軸に収集列数Ｎを表し、縦軸にターゲット角θを表す。図１１に３２０列収集に対応するターゲット角θが１１°であることを示し、また、６４列収集に対応するターゲット角θが７°であることを示す。
【００７０】
システム制御部１１の内部メモリには、これらの対応関係が記憶されている。また、ターゲット角θとボルト１４２の移動量との対応関係が記憶されている。
【００７１】
システム制御部１１は、収集列数を受けて、ターゲット角θを求め、ターゲット角θからボルト１４２の移動量を求め、ボルト１４２の移動量からモータ１４４の回転量を求める。変更手段１４は、モータ１４４を回転させて、ボルト１４２を所定方向に所定量移動させる。それにより、Ｘ線管球２１を所定角度回動させ、ターゲット角θを変更させる。
【００７２】
変更手段１４によりターゲット角θを例えば１１°に変更させることで、広いコーン角αに対応する実効焦点サイズを用いて、３２０列収集をすることができる。変更手段１４によりターゲット角θを例えば７°に変更させることで、狭いコーン角αに対応する実効焦点サイズを用いて、６４列収集をすることができる。
【００７３】
また、前記実施形態では、変更手段１４が、指定された収集列数Ｎに基づいて、Ｘ線管球２１を回動させて、ターゲット角θを変更させる構成について説明したが、これに限らない。収集列数に代えて、指定されたコーン角αに対応する実施焦点サイズが変化させるように、ターゲット角θを変更させるように構成してもよい。
【００７４】
このとき、コーン角αとＸ線管球２１の回動角度β（または、ターゲット角θ）との対応関係を予めシステム制御部１１の内部メモリに記憶させておけばよい。変更手段１４は、指定されたコーン角αに基づいて、ターゲット角θを変更させる。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態やその変形は、発明の範囲や要旨に含まれるととともに、特許請求の範囲に記載された発明とその均等の範囲に含まれる。
【符号の説明】
【００７６】
１１  システム制御部
１１１  スキャン制御部
１２  操作部
１３  架台・寝台制御部
１４  変更手段
１４１  ナット
１４２  ボルト
１５  寝台移動部
１７  Ｘ線制御装置
１９  高電圧発生装置
２１  Ｘ線管球
２１１  陰極
２１２  陽極
２１３  ターゲット
２３  検出器
２５  回転部
２７  データ収集部
２９  収集データ記憶装置
３１  画像再構成処理部
３３  表示部
【図１】
2014064828.tif 000003
【図２】
2014064828.tif 000004
【図３】
2014064828.tif 000005
【図４】
2014064828.tif 000006
【図５】
2014064828.tif 000007
【図６】
2014064828.tif 000008
【図７】
2014064828.tif 000009
【図８】
2014064828.tif 000010
【図９】
2014064828.tif 000011
【図１０】
2014064828.tif 000012
【図１１】
2014064828.tif 000013